(57)【要約】【課題】環境管理が厳密な商品に対して、比較的に安価に環境変化による商品劣化を目視にて判断でき、さらに劣化商品が混入した場合、どの経路で環境変化が生じたかを、記録を読み出すことで原因究明ができる流通保管環境管理システムを提供する。【解決手段】温度、湿度、紫外線照射、振動、外気雰囲気などの環境データが設定条件に達すると不可逆的にその環境データの変化を表示する環境変化表示媒体１が、各商品２の一個一個に添付され、前記環境変化表示媒体１が表示する環境データと同じ項目の環境データの推移を記録する環境推移記録媒体３が、前記各商品２を流通する際に個々の商品２をまとめて梱包する箱・パレット等の流通単位体４に添付され、前記環境変化表示媒体１に表示された環境データと、前記環境推移記録媒体３に記録された環境データの推移とにより、各商品２の流通保管状態を管理する。【選択図】図２
2005314073.tif 000002
【特許請求の範囲】
【請求項１】
商品に添付され、その場の温度が設定条件に達すると表示が不可逆に変化する表示媒体と、該商品を流通又は保管する際に用いる箱又は／及びパレット類に添付され、その場の温度の推移を少なくとも時間データと共に記録する記録媒体とを使用し、前記表示媒体の前記変化の有無により、商品の温度が前記設定条件内か条件外に達したかを判断し、条件外に達したと判断されれば、前記条件外に達したのがいつであるかを前記記録媒体の記録に基づいて確認できるようにしたことを特徴とする流通保管環境管理方法。
【請求項２】
商品及び該商品を流通又は保管する際に用いる箱又はパレット類のいずれかに添付され、その場の温度が設定条件に達すると表示が不可逆に変化する表示媒体と、該商品を流通又は保管する際に用いる箱又は／及びパレット類に添付され、その場の温度の推移を少なくとも時間データと共に記録する記録媒体を使用し、前記表示媒体の前記変化の有無により、商品の温度が前記設定条件内か条件外に達したかを判断し、条件外に達したと判断されれば、前記条件外に達したのがいつであるかを前記記録媒体の記録に基づいて確認できるようにしたことを特徴とする流通保管環境管理方法。
【請求項３】
前記記録媒体には、温度を測定するセンサが配置され、前記商品が梱包されている前記箱の内部若しくは外部の温度、又は前記商品が搭載された前記パレット類の上方の空間の温度を測定すべく配置されていることを特徴とする請求項１又は２記載の流通保管環境管理方法。
【請求項４】
前記商品は前記箱又はパレット類に複数搭載されており、前記表示媒体は、その商品の全数個又は全数個を除く複数個又は１個に添付されていることを特徴とする請求項１乃至３のいずれか１項記載の流通保管環境管理方法。
【請求項５】
前記記録媒体は非接触式ＩＣタグであり、前記記録した温度推移のデータを外部機器により非接触にて読み取り可能であることを特徴とする請求項１乃至４のいずれか１項記載の流通保管環境管理方法。
【請求項６】
商品を流通又は保管する際に用いる流通保管箱であって、その場の温度の推移を少なくとも時間データと共に記録する記録媒体、又はその場の温度が設定条件に達すると表示が不可逆に変化する表示媒体及びその場の温度の推移を少なくとも時間データと共に記録する記録媒体を添付してあることを特徴とする流通保管箱。
【請求項７】
前記記録媒体には、温度を測定するセンサが配置され、前記商品が梱包される前記箱の内部又は外部の温度を測定すべく配置されていることを特徴とする請求項６記載の流通保管箱。
【請求項８】
前記記録媒体は、非接触式ＩＣタグであり、前記記録した温度推移のデータを、外部機器により非接触にて読み取り可能であることを特徴とする請求項６又は７記載の流通保管箱。
【請求項９】
前記箱内には、前記商品が梱包されており、その場の温度が設定条件に達すると表示が不可逆に変化する表示媒体が、その商品の全数個又は全数個を除く複数個又は１個に添付されていることを特徴とする請求項５乃至８のいずれか１項記載の流通保管箱。
【請求項１０】
商品を流通又は保管する際に用いる流通保管箱であって、その場の温度、湿度、紫外線照射、振動、又は外気雰囲気などのいずれかの環境の推移を少なくとも時間データと共に記録する記録媒体、又は、その場の温度、湿度、紫外線照射、振動又は外気雰囲気などの
いずれかの環境が設定条件に達すると表示が不可逆に変化する表示媒体及びその場の温度、湿度、紫外線照射、振動、又は外気雰囲気などのいずれかの環境の推移を少なくとも時間データと共に記録する記録媒体を添付してあることを特徴とする流通保管箱。
【請求項１１】
商品を流通又は保管する際に用いるパレット類又は商品を流通又は保管する際に用いる請求項６乃至９記載の流通保管箱を搭載するパレット類であって、その場の温度の推移を少なくとも時間データと共に記録する記録媒体を添付してあることを特徴とするパレット類。
【請求項１２】
前記記録媒体には、温度を測定するセンサが配置され、前記商品が搭載される前記パレット類の上方の空間を測定すべく配置されていることを特徴とする請求項１１記載のパレット類。
【請求項１３】
前記記録媒体は非接触式ＩＣタグであり、前記記録した温度推移のデータを外部機器により非接触にて読み取り可能であることを特徴とする請求項１１又は１２記載のパレット類。
【請求項１４】
前記箱内には、前記商品が搭載されており、その場の温度が設定条件に達すると表示が不可逆に変化する表示媒体が、該商品に添付されていることを特徴とする請求項１１乃至１３のいずれか１項記載のパレット類。
【請求項１５】
商品を流通又は保管する際に用いるパレット類であって、その場の温度、湿度、紫外線照射、振動、又は外気雰囲気などのいずれかの環境の推移を少なくとも時間データと共に記録する記録媒体、又は、その場の温度、湿度、紫外線照射、振動又は外気雰囲気などのいずれかの環境が設定条件に達すると表示が不可逆に変化する表示媒体及びその場の温度、湿度、紫外線照射、振動、又は外気雰囲気などのいずれかの環境の推移を少なくとも時間データと共に記録する記録媒体を添付してあることを特徴とするパレット類。
【請求項１６】
商品に添付され、その場の温度、湿度、紫外線照射、振動、又は、外気雰囲気などのいずれかの環境が設定条件に達すると表示が不可逆に変化する表示媒体と、該商品を流通又は保管する際に用いる箱又は／及びパレット類のいずれかに添付され、その場の環境のうち前記表示媒体と同一の項目について環境の推移を少なくとも時間データと共に記録する記録媒体を使用し、前記表示媒体の前記変化の有無により前記環境が前記条件内か前記条件外に達したかを判断し、条件外に達したと判断されれば、前記条件外に達したのがいつであるかを前記記録媒体の記録に基づいて確認できるようにしたことを特徴とする流通保管環境管理方法。
【請求項１７】
商品及び該商品を流通又は保管する際に用いる箱、又はパレット類のいずれかに添付され、その場の温度、湿度、紫外線照射、振動、又は、外気雰囲気などのいずれかの環境が設定条件に達すると表示が不可逆に変化する表示媒体と、該商品を流通又は保管する際に用いる箱又は／及びパレット類のいずれかに添付され、その場の環境のうち前記表示媒体と同一の項目について環境の推移を少なくとも時間データと共に記録する記録媒体を使用し、前記表示媒体の前記変化の有無により前記環境が前記条件内か前記条件外に達したかを判断し、条件外に達したと判断されれば、前記条件外に達したのがいつであるかを前記記録媒体の記録に基づいて確認できるようにしたことを特徴とする流通保管環境管理方法。
【請求項１８】
前記商品は、前記箱又はパレット類に単数又は複数搭載されており、前記表示媒体は、その商品の全数個又は全数個を除く複数個又は１個に添付されていることを特徴とする請求項１６又は１７記載の流通保管環境管理方法。
【発明の詳細な説明】
【技術分野】
【０００１】
本発明は、環境管理が厳密な商品に、直接付加することにより、環境変化による商品の劣化を目視にて判断でき、梱包単位毎に、さらにどの経路で環境変化が生じたかを記録することができる流通保管環境管理方法、及びそれに用いる流通保管箱及びパレット類に関する。
【背景技術】
【０００２】
近年、商品を流通保管する場合に、商品が劣化しないように、それぞれの商品特性に合わせて環境設定を行っている。
【０００３】
例えば、冷凍食品については冷凍車及び冷凍庫に、日本酒、ワイン等の酒類は適温にコントロールされた輸送車及び冷蔵保管庫にて流通保管される。また、お茶、海苔等の食品、紙等の工業製品は、湿度がコントロールされた輸送車で輸送される。さらに、振動、紫外線照射、外気に含まれるガスなどの保管環境によって品質が劣化する製品は、前記保管環境が予め決められた条件を逸脱しないように配慮されている。このような製品保管管理技術としては、例えば、特開２００１−５９３７号公報がある。
【０００４】
また、商品を収容する収容容器に添付された非接触媒体に、品物の保管環境データを収集させ、保管環境を制御する役目を担った外部装置に、前記収集したデータを無線で送信する方法がある。このような商品保管管理技術としては、例えば、特開２００１−１４５０４号公報がある。
【０００５】
さらに、商品に添付して、商品が保管された環境データを非接触ＩＣタグに記録させると同時に、環境データの変化に対応して不可逆的に変化する環境変化表示部分が付加されており、ＩＣタグを読み取ることができない第三者に保管環境の条件を逸晩した商品化どうかを可視表示方式にて知らせる環境変化表示媒体がある。このような環境変化表示媒体に関する技術としては、例えば、特開２００４−１８２５３号公報がある。
【０００６】
以下に、従来より公知の文献として、下記の特許文献を記載する。
【特許文献１】特開２００１−５９３７号公報
【特許文献２】特開２００１−１４５０４号公報
【特許文献３】特開２００４−１８２５３号公報  しかしながら、特開２００１−５９３７号公報に開示された技術では、商品が収納されている容器が有人の管理環境下にあれば、商品の劣化に気が付いて、事前に劣化商品を発見し、区分けすることができるが、無人状態で放置された商品の劣化に対しては対応できない。また、特開２００１−１４５０４号公報に開示する技術では、例えば、製品が店頭に陳列されている場合など、外部装置が無い状況下での品質の劣化を発見することは困難である。
【０００７】
さらに、特開２００４−１８２５３号公報に開示する技術では、劣化環境に置かれた場合に不可逆的にその環境の変化を表示し記録する表示部分が環境データ記録媒体として商品一個一個に付加されているが、商品価格が比較的安い物に、当該環境データ記録媒体を添付するのは、商品のコスト高に繋がるため、実現性において難しい面がある。
【発明の開示】
【発明が解決しようとする課題】
【０００８】
本発明は、上述の問題点に鑑みなされたものであり、このような従来の要請に対応できるものであり、特に環境管理が厳密な商品に、比較的に安価に、直接付加することができるようにして、環境変化による商品劣化を目視にて判断でき、さらに劣化商品が混入した場合、どの経路で環境変化が生じたかを、記録を読み出すことで原因究明ができる流通保管環境管理方法及びそれに用いる流通保管箱及びパレット類を提供することにある。
【課題を解決するための手段】
【０００９】
本発明の請求項１に係る発明は、商品に添付され、その場の温度が設定条件に達すると表示が不可逆に変化する表示媒体と、該商品を流通又は保管する際に用いる箱又は／及びパレット類に添付され、その場の温度の推移を少なくとも時間データと共に記録する記録媒体とを使用し、前記表示媒体の前記変化の有無により、商品の温度が前記設定条件内か条件外に達したかを判断し、条件外に達したと判断されれば、前記条件外に達したのがいつであるかを前記記録媒体の記録に基づいて確認できるようにしたことを特徴とする流通保管環境管理方法である。
【００１０】
本発明の請求項２に係る発明は、商品及び該商品を流通又は保管する際に用いる箱又はパレット類のいずれかに添付され、その場の温度が設定条件に達すると表示が不可逆に変化する表示媒体と、該商品を流通又は保管する際に用いる箱又は／及びパレット類に添付され、その場の温度の推移を少なくとも時間データと共に記録する記録媒体を使用し、前記表示媒体の前記変化の有無により、商品の温度が前記設定条件内か条件外に達したかを判断し、条件外に達したと判断されれば、前記条件外に達したのがいつであるかを前記記録媒体の記録に基づいて確認できるようにしたことを特徴とする流通保管環境管理方法である。
【００１１】
本発明の請求項３に係る発明は、上記請求項１又は２に係る流通保管環境管理方法において、前記記録媒体には、温度を測定するセンサが配置され、前記商品が梱包されている前記箱の内部若しくは外部の温度、又は前記商品が搭載された前記パレット類の上方の空間の温度を測定すべく配置されていることを特徴とする流通保管環境管理方法である。
【００１２】
本発明の請求項４に係る発明は、上記請求項１乃至３のいずれか１項に係る流通保管環境管理方法において、前記商品は前記箱又はパレット類に複数搭載されており、前記表示媒体は、その商品の全数個又は全数個を除く複数個又は１個に添付されていることを特徴とする流通保管環境管理方法である。
【００１３】
本発明の請求項５に係る発明は、上記請求項１乃至４のいずれか１項に係る流通保管環境管理方法において、前記記録媒体は非接触式ＩＣタグであり、前記記録した温度推移のデータを外部機器により非接触にて読み取り可能であることを特徴とする流通保管環境管理方法である。
【００１４】
本発明の請求項６に係る発明は、商品を流通又は保管する際に用いる流通保管箱であって、その場の温度の推移を少なくとも時間データと共に記録する記録媒体、又はその場の温度が設定条件に達すると表示が不可逆に変化する表示媒体及びその場の温度の推移を少なくとも時間データと共に記録する記録媒体を添付してあることを特徴とする流通保管箱である。
【００１５】
本発明の請求項７に係る発明は、上記請求項６に係る流通保管箱において、前記記録媒体には、温度を測定するセンサが配置され、前記商品が梱包される前記箱の内部又は外部の温度を測定すべく配置されていることを特徴とする流通保管箱である。
【００１６】
本発明の請求項８に係る発明は、上記請求項６又は７に係る流通保管箱において、前記記録媒体は、非接触式ＩＣタグであり、前記記録した温度推移のデータを、外部機器により非接触にて読み取り可能であることを特徴とする流通保管箱である。
【００１７】
本発明の請求項９に係る発明は、上記請求項５乃至８のいずれか１項に係る流通保管箱において、前記箱内には、前記商品が梱包されており、その場の温度が設定条件に達すると表示が不可逆に変化する表示媒体が、その商品の全数個又は全数個を除く複数個又は１個に添付されていることを特徴とする流通保管箱である。
【００１８】
本発明の請求項１０に係る発明は、商品を流通又は保管する際に用いる流通保管箱であって、その場の温度、湿度、紫外線照射、振動、又は外気雰囲気などのいずれかの環境の推移を少なくとも時間データと共に記録する記録媒体、又は、その場の温度、湿度、紫外線照射、振動又は外気雰囲気などのいずれかの環境が設定条件に達すると表示が不可逆に変化する表示媒体及びその場の温度、湿度、紫外線照射、振動、又は外気雰囲気などのいずれかの環境の推移を少なくとも時間データと共に記録する記録媒体を添付してあることを特徴とする流通保管箱である。
【００１９】
本発明の請求項１１に係る発明は、商品を流通又は保管する際に用いるパレット類又は商品を流通又は保管する際に用いる上記請求項６乃至９に係る流通保管箱を搭載するパレット類であって、その場の温度の推移を少なくとも時間データと共に記録する記録媒体を添付してあることを特徴とするパレット類である。
【００２０】
本発明の請求項１２に係る発明は、上記請求項１１に係るパレット類において、前記記録媒体には、温度を測定するセンサが配置され、前記商品が搭載される前記パレット類の上方の空間を測定すべく配置されていることを特徴とするパレット類である。
【００２１】
本発明の請求項１３に係る発明は、上記請求項１１又は１２に係るパレット類において前記記録媒体は非接触式ＩＣタグであり、前記記録した温度推移のデータを外部機器により非接触にて読み取り可能であることを特徴とするパレット類である。
【００２２】
本発明の請求項１４に係る発明は、上記請求項１１乃至１３のいずれか１項に係るパレット類において、前記箱内には、前記商品が搭載されており、その場の温度が設定条件に達すると表示が不可逆に変化する表示媒体が、該商品に添付されていることを特徴とするパレット類である。
【００２３】
本発明の請求項１５に係る発明は、商品を流通又は保管する際に用いるパレット類であって、その場の温度、湿度、紫外線照射、振動、又は外気雰囲気などのいずれかの環境の推移を少なくとも時間データと共に記録する記録媒体、又は、その場の温度、湿度、紫外線照射、振動又は外気雰囲気などのいずれかの環境が設定条件に達すると表示が不可逆に変化する表示媒体及びその場の温度、湿度、紫外線照射、振動、又は外気雰囲気などのいずれかの環境の推移を少なくとも時間データと共に記録する記録媒体を添付してあることを特徴とするパレット類である。
【００２４】
本発明の請求項１６に係る発明は、商品に添付され、その場の温度、湿度、紫外線照射、振動、又は、外気雰囲気などのいずれかの環境が設定条件に達すると表示が不可逆に変化する表示媒体と、該商品を流通又は保管する際に用いる箱又は／及びパレット類のいずれかに添付され、その場の環境のうち前記表示媒体と同一の項目について環境の推移を少なくとも時間データと共に記録する記録媒体を使用し、前記表示媒体の前記変化の有無により前記環境が前記条件内か前記条件外に達したかを判断し、条件外に達したと判断され
れば、前記条件外に達したのがいつであるかを前記記録媒体の記録に基づいて確認できるようにしたことを特徴とする流通保管環境管理方法である。
【００２５】
本発明の請求項１７に係る発明は、商品及び該商品を流通又は保管する際に用いる箱、又はパレット類のいずれかに添付され、その場の温度、湿度、紫外線照射、振動、又は、外気雰囲気などのいずれかの環境が設定条件に達すると表示が不可逆に変化する表示媒体と、該商品を流通又は保管する際に用いる箱又は／及びパレット類のいずれかに添付され、その場の環境のうち前記表示媒体と同一の項目について環境の推移を少なくとも時間データと共に記録する記録媒体を使用し、前記表示媒体の前記変化の有無により前記環境が前記条件内か前記条件外に達したかを判断し、条件外に達したと判断されれば、前記条件外に達したのがいつであるかを前記記録媒体の記録に基づいて確認できるようにしたことを特徴とする流通保管環境管理方法である。
【００２６】
本発明の請求項１８に係る発明は、上記請求項１６又は１７に係る流通保管環境管理方法において、前記商品は、前記箱又はパレット類に単数又は複数搭載されており、前記表示媒体は、その商品の全数個又は全数個を除く複数個又は１個に添付されていることを特徴とする流通保管環境管理方法である。
【発明の効果】
【００２７】
本発明の流通保管環境管理方法は、所定の環境データ項目の環境データが環境設定条件に達すると、不可逆的に変化する環境変化表示媒体を個々の商品に添付し、さらに保管単位又は流通単位である梱包箱や外装箱若しくはパレット等の保管・流通単位体に、環境データの推移を記録できる環境推移記録媒体が添付されており、例えば、店頭で商品の入った梱包箱又は外装箱を開封して商品を取り出した際に、その商品に添付されている環境変化表示媒体の表示に変化があった場合は、常に、梱包箱又は外装箱に添付されている環境推移記録媒体に記録されている環境データの推移を読み取り、どの時点で環境変化が起こったかを判定することができる。
【００２８】
さらに、前記環境変化表示媒体が添付された商品を店頭に並べることにより、一般消費者にも、その環境変化表示媒体を目視することによって、その商品に品質の劣化が無いことが一目で判り、良い商品を確実に販売することができるものである。
【発明を実施するための最良の形態】
【００２９】
以下、図面を用いて、本発明の流通保管環境管理方法の実施の形態を詳細に説明する。なお、以下の説明では、流通保管環境管理の対象となる温度を環境データの項目として、温度管理による管理方法について説明を行う。
【００３０】
図１は、本発明方法における環境データとしての温度が、所定の設定温度に達すると不可逆的に変化する環境変化表示媒体１を、個々の商品２に添付した状態の説明図であり、図２（ａ）〜（ｂ）は、前記環境データとしての温度の推移を記録する環境推移記録媒体３を、不可逆的変化をする前記表示媒体１が添付された個々の商品２をまとめて梱包する流通単位体としての箱体４（例えば大箱の流通保管箱）の表面に添付した状態の説明図である。また、図２（ｂ）に示すように、前記箱体４（流通保管箱）等の流通単位体又は個々の商品２等をパレット類８上に積載する場合には、前記環境推移記録媒体３は、箱体４（流通保管箱）又は／及びパレット類８に添付するようにしてもよい。
【００３１】
また、図３は、環境推移記録媒体３が添付されている箱体４を、輸送車にて搬送している状態の説明図であり、図４は、商品２の流通状態の説明図である。
【００３２】
さらに、図５（ａ）〜（ｂ）は、個々の商品２が販売店に運ばれた時点で、個々の商品
２に添付されている不可逆的に変化する環境変化表示媒体１の変化状態を示す説明図であり、図６は、個々の商品２又は個々の商品２のうちのいずれかの商品２に添付された前記環境変化表示媒体１が、環境の変化を表示していた場合に、その商品２が梱包されていた流通単位体としての箱体４（例えば大箱の流通保管箱）に添付されている前記環境推移記録媒体３の環境の推移情報を読み出す操作を示す説明図である。
【００３３】
図１、図２に示した個々の商品２（例えば、瓶入り飲料）の環境データとしての温度が所定の設定温度に達すると、不可逆的に変化する前記環境変化表示媒体１は、その商品２の鮮度を保つために必要な温度以下の環境データとしての環境温度状態であるか、又は、その商品２の鮮度を保つために必要な温度以上の環境データとしての環境温度状態であるかを、目視にて確認できるものである。
【００３４】
そして、設定されている温度以上、即ち、その商品２が鮮度を保つために必要な温度以上になった場合、又は、設定されている温度以下、即ち、その商品２が鮮度を保つために必要な温度以下になった場合に、前記環境変化表示媒体１は、発色または消色するものである。
【００３５】
上記環境変化表示媒体１として用いる温度センサーとしては示温材料があり、この示温材料は、ある温度から所定の温度に達すると、その色が変色（又は発色）し、元の温度に戻ると、元の色（又は消色状態）に戻る可逆タイプと、元の温度に戻っても変色（又は消色）しない不可逆タイプがある。発色原理には固相反応、熱分解、脱水、電子供与受容体の電子授受、結晶構造の変化などを利用している。
【００３６】
また、本発明における上記環境変化表示媒体１として湿度の変化を検知する検知センサーに関しても、温度の検知と同様、変色による検知方法が一般的であり、各種の材料が市販されており、また、気圧、振動、紫外線照射等に対しても、それぞれに検知センサーが用意されていて、それらの検知センサーを使用することができる。
【００３７】
上記環境変化表示媒体１としては、温度変化を表示する媒体として、例えば、ＭＥＬＴＭＡＲＫ（メルトマーク、例えば、設定温度１５℃で変化するタイプ：ＭＫ−１５、設定温度２０℃で変化するタイプ：ＭＫ−２０、設定温度２５℃で変化するタイプ：ＭＫ−２５、設定温度３０℃で変化するタイプ：ＭＫ−３０、日油技研工業（株）製）がある。
【００３８】
前記所定の設定温度に達すると、不可逆的に変化する環境変化表示媒体１を、商品２の販売単位である一個一個に添付することにより、消費者の手に渡るまで、商品２の鮮度が保たれていることを、その環境変化表示媒体１の変色（又は発色又は消色）の発生を目視することによって判るようになっている。
【００３９】
図２に示すように、環境変化表示媒体１が、一個一個の商品２（製品）に添付された各々商品２を、製造元から販売店に流通する際に、複数個の商品２がまとめて梱包されている箱体４を使用することができ、前記商品２がまとめて梱包されている箱体４（例えば大箱の流通保管箱）には、温度の推移を記録する環境推移記録媒体３が添付されている。なお、図２に示すように、各々前記商品２を商品ケース等の包装体等の中間包装体４ａ（例えば小箱の流通保管箱）に包装した後に、箱体４内に梱包することは可能である。この場合の環境変化表示媒体１は、各々商品２又は／及び各々中間包装体４ａに添付するようにしてもよい。
【００４０】
温度の推移を記録する環境推移記録媒体３としては、温度センサー、時計（タイマー）、記録メモリから構成され、一定時間毎に温度を読み取り、時間とともに記録メモリにその温度データを記録するもので、外部に電気供給源が無い場合は電池が内蔵されているも
のが採用される。
【００４１】
上記の環境変化表示媒体１が変色（又は発色又は消色）した場合に、この表示媒体１の設定温度条件以上に達した時間（日時）を、環境推移記録媒体３が読み取り、どの流通時点が問題であったかを特定することができるものである。
【００４２】
例えば、温度の推移を記録する環境推移記録媒体３としては、外部機器との通信により起動する非接触式ＩＣタグによる小型の温度センサー（マイクロサーモセンサー、ＩＣセンサー）により温度を検知して環境推移検知信号を発信する温度検知センサー（場合によっては電池及びタイマーが内蔵されているものも採用可能）と、該温度検知センサーが経時的に発信する環境推移検知信号を受信して、受信した環境推移検知信号を環境（温度）推移データとして記録する外部機器（固定端末機、携帯端末機など）とから構成されている。
【００４３】
上記環境推移記録媒体３としては、温度の推移を記録するものとして、例えばクールメモリー（超小型温度記録タイプＳＥＣ−ＣＤ１６ＴＢ、三洋電機（株）製）がある。
【００４４】
また、他の温度の推移を記録する環境推移記録媒体３としては、非接触式ＩＣタグによる小型の温度センサー（マイクロサーモセンサー、ＩＣセンサー）により温度を検知して環境推移検知信号を発信する温度検知センサー（場合によっては電池及びタイマーが内蔵されているものも採用可能）と、該温度検知センサーが経時的に発信する環境推移検知信号を環境（温度）推移データとして記録するＩＣメモリから構成されている。また、場合によっては電池及びタイマーが内蔵されているものも採用可能である。
【００４５】
環境推移記録媒体３に備えるＩＣメモリとしては、書き換え不能なタイプのメモリを用いる場合と、電気的に書き換え可能なタイプのメモリを用いる場合があり、特に書き換え不能なタイプのメモリは、その環境推移記録媒体３が使用後に回収して再使用できないような場合に適用される。
【００４６】
温度以外の管理が必要な湯合は、環境推移記録媒体３に、それ以外の検知センサー、例えば、湿度センサー、気圧センサー、振動センサー、紫外線センサー等が設置される。
【００４７】
図３、図４は、例えば、商品２が製造元から販売店７に流通される状態を示した説明図であり、環境推移記録媒体３が添付された箱体４をまとめて、貨物５としてトラック等の運送車両等の流通手段６にて販売店７まで輸送される。このとき、流通手段６の保管庫６ａの内部は、商品の鮮度を保つことができるような冷凍庫若しくは冷蔵庫のような環境に設定されている。また、箱体４の積み卸しの際に、商品２の鮮度を保つために必要な温度である所定の設定温度又はその近傍の温度に達する恐れがあるため、前記箱体４等の流通単位体は保冷機能を持ったものを使用する場合もある。その場合、環境推移記録媒体３は箱体４等の流通単位体の外側に添付するのではなく、内側に添付しても良い。
【００４８】
箱体４内の商品２（製品）が、販売店７に届けられる途中の流通経路のどこかで設定温度に達してしまった場合には、図５（ａ）〜（ｂ）に示すように、販売店で箱体４を開封して、商品２を取り出した際には、その商品２に添付されている環境変化表示媒体１は、発色（又は消色）している状態（設定湿度に達してしまった状態）になることより、その商品２が劣化している（劣化した商品である）ことが目視で判る。
【００４９】
劣化した商品２は、環境変化表示媒体１により目視で確認できることより、消費者に販売できないことになる。この場合には、その原因の所在を確認するため、図６に示すように、劣化した商品２が入っていた箱体４に添付されている環境推移記録媒体３のＩＣメモ
リに記録されている記録データ（設定温度に到達した時点）を、非接触方式（無線通信方式）又は接触方式（接触通信方式）による記録データ読取手段１０にて読み取り、その読み取られたデータに基づいて記録データ表示手段１１（パソコン等）で解析を行い、どの流通経路にて設定温度に達してしまったかを確認することができる。
【００５０】
また、消費者は、販売店７における保管方法が悪い場合、その販売店７の店頭に並べられた商品２の鮮度を、環境変化表示媒体１の発色（又は消色）の状態を目視にて見分けることにより商品２を購入するものである。
【図面の簡単な説明】
【００５１】
【図１】本発明における環境変化表示媒体を個々の商品に添付した状態の説明図。
【図２】（ａ）〜（ｂ）は本発明における環境変化表示媒体を添付した個々の商品をまとめて梱包した箱体に環境推移記録媒体を添付した状態の説明図。
【図３】本発明における環境推移記録媒体を添付した箱体を運送手段にて運送している状態の説明図。
【図４】本発明における環境推移記録媒体を添付した箱体にまとめて梱包した商品の流通状態の説明図。
【図５】（ａ）〜（ｂ）は本発明における環境推移記録媒体を添付した箱体にまとめて梱包した商品が販売店に運ばれた時点を示す説明図。
【図６】本発明における環境推移記録媒体を添付した箱体にまとめて梱包した商品が販売店に運ばれた時点で環境推移記録媒体を読取手段にて読み取る状態を示す説明図。
【符号の説明】
【００５２】
１…環境変化表示媒体  ２…商品  ３…環境推移記録媒体  ４…流通単位体（箱体）
５…運送貨物  ６…搬送手段  ７…販売店
１０…記録データ読取手段  １１…記録データ表示手段
【図１】
2005314073.tif 000003
【図２】
2005314073.tif 000004
【図３】
2005314073.tif 000005
【図４】
2005314073.tif 000006
【図５】
2005314073.tif 000007
【図６】
2005314073.tif 000008